(57)【要約】【課題】コストアップおよび作業性の低下を招くことなく意匠性を向上可能なカーテンウォールおよび建物を提供すること。【解決手段】カーテンウォール１０の平面多角形状の外壁面１０Ａに、その角部を跨ぎ左右に延びる状態で平面直線状の水平ルーバー材４１を配置している。このため、外壁面１０Ａの平面多角形状の角部を跨ぐ長い領域を平面直線状の１個の水平ルーバー材４１でカバーでき、カーテンウォール１０の意匠性を向上できる。さらに、角部を跨ぐ領域をカバーする水平ルーバー材４１の取付作業を減らすことができる。そして、水平ルーバー材４１を曲げ加工したり曲がった水平ルーバー材４１を製造する必要がなく、コストアップを招くことがない。【選択図】図７
2009221789.tif 000002
【特許請求の範囲】
【請求項１】
左右に並んだ複数の窓部が平面多角形状に形成されているカーテンウォールであって、
前記窓部の屋外側には、複数のルーバー材を備えたルーバー装置が設けられ、
前記ルーバー材は、平面直線状に形成されるとともに、前記平面多角形状の角部を跨いで左右に延びて配置されているカーテンウォール。
【請求項２】
前記ルーバー材の屋外側には、平面曲線状の化粧材が取り付けられ、この化粧材は、前記角部を跨いで左右に延びて配置されている請求項１に記載のカーテンウォール。
【請求項３】
前記化粧材は、取付手段を介して平面曲線状に撓んだ状態で前記ルーバー材に取り付けられている請求項２に記載のカーテンウォール。
【請求項４】
前記取付手段は、長さ寸法が異なる複数のスペーサを含んで構成され、前記化粧材は、これら複数のスペーサを介して前記ルーバー材に取り付けられている請求項３に記載のカーテンウォール。
【請求項５】
前記窓部と前記ルーバー装置との間には、略水平面を有する水平部が設けられ、
前記水平部は、平面直線状に形成されるとともに、前記ルーバー材と略平行にかつ前記平面多角形状の角部を跨いで左右に延びて配置されている請求項１から請求項４のいずれかに記載のカーテンウォール。
【請求項６】
前記ルーバー材は、前記複数の窓部における前記平面多角形状の角部を跨いだ左右両端側の２箇所から屋外側に延びるルーバー材支持部材で支持され、
前記水平部は、前記複数の窓部の左右両端側から屋外側に延びる水平部支持部材により前記窓部ごとに支持されている請求項５に記載のカーテンウォール。
【請求項７】
請求項１から請求項６のいずれかに記載のカーテンウォールにより外壁が構成されている建物。
【発明の詳細な説明】
【技術分野】
【０００１】
本発明は、カーテンウォールおよび建物に関する。
【背景技術】
【０００２】
従来、建物の外壁に風を受ける風バリア体や屋内空間の光や熱環境をコントロールするルーバーを配置した構成が知られている（例えば、特許文献１，２参照）。
特許文献１に記載のものは、上下の階層間で平行に、相互に間隔をとって配置されている風バリア体（ルーバー材）を備えている。この風バリア体は、平面直線状の外壁面に対して平行に設けられた長尺なバリア部材が縦材と横材との交点位置に配置された支持部材で外壁面に固定されている。
特許文献２に記載のものは、建物の外壁の外側に形成された機能空間と、この機能空間に配置されているルーバー材とを備えている。このルーバー材は、平面直線状の外壁面に対して平行に設けられた複数枚の羽根とその両端を保持するルーバー受けから構成され、隣接する支柱間に架設されている。
【０００３】
【特許文献１】特許第３２６１９４３号公報
【特許文献２】特許第３３６１９７０号公報
【発明の開示】
【発明が解決しようとする課題】
【０００４】
ところで、左右に並んだ複数の窓部が平面多角形状に形成されているカーテンウォールにおいて、平面多角形状の窓部に対してルーバー材を配置する場合、特許文献１，２のような構成を適用して多角の直線部分ごとに平面直線状のルーバー材を配置したり、このルーバー材間を連結することが考えられる。しかしながら、このような構成では、平面多角形状の角部を挟んで複数のルーバー材が断続的に配置されたり連結部分が存在することで、意匠性が低下したり、取付作業工程が増えるおそれがある。さらに、曲げ加工されたルーバー材や曲がったルーバー材を製造して平面多角形状の外壁面に沿って配置することが考えられるが、この曲げ加工や曲がったルーバー材を製造するためにコストが増加するおそれがある。
【０００５】
本発明の目的は、コストアップおよび作業性の低下を招くことなく意匠性を向上することができるカーテンウォールおよび建物を提供することにある。
【課題を解決するための手段】
【０００６】
本発明のカーテンウォールは、左右に並んだ複数の窓部が平面多角形状に形成されているカーテンウォールであって、前記窓部の屋外側には、複数のルーバー材を備えたルーバー装置が設けられ、前記ルーバー材は、平面直線状に形成されるとともに、前記平面多角形状の角部を跨いで左右に延びて配置されていることを特徴とする。
【０００７】
ここで、ルーバー材が跨ぐ角部の数は、１個に限らず２個以上であってもよい。
以上の本発明によれば、窓部の平面多角形状の角部を跨ぐ長い領域を平面直線状の１個のルーバー材でカバーでき、カーテンウォールの意匠性を向上できる。さらに、複数のルーバー材を断続的に配置する構成や、この複数のルーバー材を連結する構成と比べて、取付作業を減らすことができる。そして、ルーバー材を曲げ加工したり曲がったルーバー材を製造する必要がなく、コストアップを招くことがない。
【０００８】
本発明のカーテンウォールでは、前記ルーバー材の屋外側には、平面曲線状の化粧材が取り付けられ、この化粧材は、前記角部を跨いで左右に延びて配置されている構成が好ましい。
ここで、化粧材の形状としては、外壁面の平面多角形状の外接円と同心円状となるような形状であってもよいし、同心円状とならない形状であってもよい。
この発明によれば、平面多角形状の外壁面に平面曲線状の化粧材を配置することで、化粧材を外壁面に沿わせるとともに、この化粧材で直線状のルーバー材を隠すことができ、カーテンウォールの意匠性を向上できる。
【０００９】
本発明のカーテンウォールでは、前記化粧材は、取付手段を介して平面曲線状に撓んだ状態で前記ルーバー材に取り付けられている構成が好ましい。
ここで、取付手段としては、化粧材とルーバー材とを螺合、圧入、係合などで取り付ける構成を適用できる。
この発明によれば、化粧材を平面直線状に形成しても撓ませることで平面曲線状に配置することができ、予め平面曲線状に形成する構成と比べて製造コストを抑えることができる。さらに、化粧材を所望の状態に撓ませることで、ルーバー装置の配置場所や建物のサイズなどに応じて意匠性を向上した状態で化粧材を取り付けることができる。
【００１０】
本発明のカーテンウォールでは、前記取付手段は、長さ寸法が異なる複数のスペーサを含んで構成され、前記化粧材は、これら複数のスペーサを介して前記ルーバー材に取り付けられている構成が好ましい。
この発明によれば、ルーバー材と化粧材との間に長さが異なるスペーサを配置することで、化粧材の撓み状態を容易に設定できる。さらに、作業者によらず化粧材の撓み状態を一定にすることができる。
【００１１】
本発明のカーテンウォールでは、前記窓部と前記ルーバー装置との間には、略水平面を有する水平部が設けられ、前記水平部は、平面直線状に形成されるとともに、前記ルーバー材と略平行にかつ前記平面多角形状の角部を跨いで左右に延びて配置されている構成が好ましい。
この発明によれば、窓部とルーバー装置との間に設けられた水平部を歩行用デッキとして利用することができ、窓部屋外面やルーバー装置に対するメンテナンスを容易に実施できる。また、水平部をルーバー材と略平行に設けているため、水平部を曲げ加工する必要がなく製造コストを抑えることができる。
【００１２】
本発明のカーテンウォールでは、前記ルーバー材は、前記複数の窓部における前記平面多角形状の角部を跨いだ左右両端側の２箇所から屋外側に延びるルーバー材支持部材で支持され、前記水平部は、前記複数の窓部の左右両端側から屋外側に延びる水平部支持部材により前記窓部ごとに支持されている構成が好ましい。
この発明によれば、ルーバー材を平面多角形状の角部を跨いだ左右両端側のルーバー材支持部材で支持させているので、ルーバー材の取付箇所を最小限の数にすることができ、取付作業を減らすことができる。また、水平部を窓部ごとに設けられた水平部支持部材で支持させているので、平面多角形状の角部を跨いで設ける構成と比べて水平部を短くすることができ、水平部の取付作業を容易に実施できる。
【００１３】
本発明の建物は、上述のカーテンウォールにより外壁が構成されていることを特徴とする。
以上の本発明によれば、上述のカーテンウォールと同様の作用効果を有する建物を提供できる。
【発明を実施するための最良の形態】
【００１４】
以下、本発明の実施形態を図面に基づいて説明する。
図１は、本実施形態に係るカーテンウォール１０を備える建物１の一部を示す縦断面図である。図２は、カーテンウォール１０を示す横断面図である。図３は、カーテンウォール１０の上部を拡大して示す縦断面図であり、図４は、カーテンウォール１０の一部を拡大して示す横断面図である。
【００１５】
図１〜図４において、建物１の外壁面を構成するカーテンウォール１０は、建物１の各フロアの床レベル（図中ＦＬで示す）間の距離（階高）に応じた高さ寸法を有する複数の窓部としてのカーテンウォールユニット１１によって構成されている。
カーテンウォールユニット１１は、建物外壁面の上下左右に並べて配置され、建物１の各フロアの床スラブ２や梁３などの建物躯体に固定されたファスナー（支持具）４に支持されている。そして、カーテンウォールユニット１１は、上枠１２、下枠１３、および左右の縦枠１４，１５を四周枠組みした枠体と、左右の縦枠１４，１５間に水平に架設された２本の中桟（中間横材）１６，１７と、下側の中桟１７、下枠１３、左右の縦枠１４，１５に支持された面材としてのガラスパネル１８とを有して構成されている。また、カーテンウォールユニット１１内部におけるガラスパネル１８よりも上側のスパンドレル部（腰部）には、２本の中桟１６，１７間に支持された通気ガラリ１９と、上側の中桟１６と上枠１２との間に支持されて天井裏空間５の屋外側を覆う耐火パネル２０および上部ガラスパネル２１とが設けられている。そして、通気ガラリ１９の内側には、チャンバー１９Ａが設けられ、通気ガラリ１９およびチャンバー１９Ａを介して外気を天井裏空間５に取り入れられるようになっている。また、ガラスパネル１８の室内側には、遮光ブラインド２２が上下開閉自在に天井６のブラインドボックス６Ａに支持されている。
【００１６】
カーテンウォールユニット１１の上枠１２、下枠１３、縦枠１４，１５および中桟１６，１７は、それぞれアルミ形材製である。上枠１２は、図３に示すように、全体略矩形中空状に形成されるとともにファスナー４に結合される上枠本体１２Ａと、この上枠本体１２Ａの下部屋外側に係合して上部ガラスパネル２１の上端縁を保持する上枠押縁材１２Ｂと、上枠本体１２Ａの屋外側側面に取り付けられるカバー部材１２Ｃとを有して形成されている。下枠１３は、全体略矩形中空状の下枠本体１３Ａと、この下枠本体１３Ａの屋外側に係合してガラスパネル１８の下端縁を保持する下枠押縁材１３Ｂとを有して構成されている。そして、上枠本体１２Ａの上面および下枠本体１３Ａの下面には、それぞれ位置決め部品が設けられており、これらの位置決め部品同士が嵌合することで、カーテンウォールユニット１１の下端縁が見込み方向に位置決めされるようになっている。また、上枠本体１２Ａの上面と下枠本体１３Ａの下面とには、それぞれ一方から他方に向かって突出する気密材および水密材が設けられ、これらの気密材同士および水密材同士が互いに密接することで気密性および水密性が得られるようになっている。さらに、下枠１３の下枠押縁材１３Ｂ下面には、下方に突出して上枠１２のカバー部材１２Ｃ上面に当接する止水材が取り付けられており、上枠１２と下枠１３との間に雨水が浸入しないようになっている。
【００１７】
カーテンウォールユニット１１の縦枠１４，１５は、図４に示すように、全体略矩形状で見付け方向外側が開口した縦枠本体１４Ａ，１５Ａと、縦枠本体１４Ａ，１５Ａから屋外側に突出した係合片部１４Ｂ，１５Ｂと、これらの係合片部１４Ｂ，１５Ｂに係合してガラスパネル１８の側端縁を保持する縦枠押縁材１４Ｃ，１５Ｃとを有して構成されている。そして、左右に隣り合うカーテンウォールユニット１１同士において、縦枠１４，１５同士が所定間隔（縦目地Ｓ）を介して対向配置され、互いの縦枠本体１４Ａ，１５Ａに設けられた位置決め部品同士が係合することで、縦目地Ｓの間隔が保持されている。さらに、縦目地Ｓの内部において、縦枠本体１４Ａ，１５Ａに設けられた気密材同士および水密材同士が互いに密接することで、気密性および水密性が得られるようになっている。また、縦枠１４，１５における係合片部１４Ｂ，１５Ｂおよび縦枠押縁材１４Ｃ，１５Ｃは、上枠１２における上枠押縁材１２Ｂの高さまで設けられ、カバー部材１２Ｃに対応した位置において、縦枠１４，１５の係合片部１４Ｂ，１５Ｂは切り欠かれており、この係合片部１４Ｂ，１５Ｂの切り欠き部分に後述する外装ルーバー４０の主ブラケット４２が設置されるようになっている。
【００１８】
以上のようなカーテンウォールユニット１１を上下左右に並べて構成されるカーテンウォール１０の屋外側には、歩行用の水平部としてのデッキ部３０と、ルーバー装置としての外装ルーバー４０とが設けられている。以下、デッキ部３０および外装ルーバー４０について、図５も参照して詳しく説明する。ここで、図５は、デッキ部３０および外装ルーバー４０を示す斜視図である。
デッキ部３０および外装ルーバー４０は、建物１における各階の床レベルＦＬを跨ぐ高さ位置に設けられている。すなわち、デッキ部３０は、各階の床レベルＦＬと略フラットに設けられた複数（本実施形態では６本）のグレーチング材３１を有して構成され、外装ルーバー４０は、各階の床レベルＦＬよりも若干高くガラスパネル１８の下端部屋外側に重なる位置から、下階のスパンドレル部およびガラスパネル１８の上端部屋外側に重なる位置までに渡って、所定間隔ごとに設けられた複数（本実施形態では６本）の水平ルーバー材４１を有して構成されている。そして、デッキ部３０および外装ルーバー４０は、左右に隣り合う２つのカーテンウォールユニット１１に対応した水平長さ寸法を１つの単位として構成され、この単位ごとにカーテンウォールユニット１１に支持されている。
【００１９】
外装ルーバー４０の具体的な支持構造としては、図５に示すように、２つのカーテンウォールユニット１１における上枠１２両端部に固定される４つの主ブラケット４２と、４つの主ブラケット４２のうちの左右両端部の２つの主ブラケット４２に固定されて上下に延びる２本の縦支持材４３と、中間部の２つの主ブラケット４２のうちの１つに固定されて上下に延びる１本の縦ロッド４４と、２本の縦支持材４３の下部とカーテンウォールユニット１１の縦枠１４，１５とを連結する２本の副ブラケット４５と、副ブラケット４５と同一高さ位置にて縦支持材４３と隣接位置の縦枠１４，１５とを連結する２本の水平ブレース材４６とを備えて構成されている。そして、デッキ部３０のグレーチング材３１は、４つの主ブラケット４２のうち、各カーテンウォールユニット１１の上枠１２両端部に固定された２つの主ブラケット４２間に架設されている。また、外装ルーバー４０の水平ルーバー材４１は、２本の縦支持材４３間に渡って架設され、これら６本の水平ルーバー材４１を貫通して縦ロッド４４が設けられている。さらに、６本の水平ルーバー材４１の各々の屋外側には、化粧材４７が当該水平ルーバー材４１の略全長に沿って取り付けられている。
【００２０】
次に、外装ルーバー４０の詳細な構造について説明する。図６は、外装ルーバー４０を構成する水平ルーバー材４１および化粧材４７の縦断面図である。
水平ルーバー材４１および化粧材４７は、例えばアルミ形材により外形が略長方形板状つまり平面直線状に形成されている。
水平ルーバー材４１は、厚さ方向が上下方向と略一致し、長手方向が水平かつ外壁面１０Ａ（図７参照）の左右方向に略沿い、短手方向が見付け方向に略沿うように配置されている。そして、水平ルーバー材４１は、図６に示すように、カーテンウォール１０に取り付けられるルーバー本体５１と、このルーバー本体５１に取り付けられる下カバー６１と、ルーバー本体５１と下カバー６１とに取り付けられる壁側カバー７１とを備えている。
【００２１】
ルーバー本体５１は、略長方形筒状の本体基部５２を有している。この本体基部５２は、筒状の開口部５３が左右両側に位置し、一方の短辺に対応する屋外側面部５４が屋外側に位置し、他方の短辺に対応する外壁側面部５５が屋内側に位置する状態で設けられている。屋外側面部５４には、後述するボルト９１が挿通される７個のボルト孔５６が左右方向に並んで設けられている。外壁側面部５５の上端縁には、屋内側に延びる上延出部５７が設けられている。この上延出部５７の先端には、下方に延びる第１本体固定部５８が設けられている。さらに、第１本体固定部５８の先端には、屋内側に延びる第２本体固定部５９が設けられている。
【００２２】
下カバー６１は、略長方形板状の下カバー基部６２を有している。この下カバー基部６２の一縁には、下カバー基部６２とのなす角度が鈍角となる方向に延びる下カバー固定部６３が設けられている。そして、下カバー６１は、下カバー基部６２の他縁が外壁側面部５５の下部に係合し、下カバー固定部６３が屋内側から螺合するビス６４で第１本体固定部５８に固定されることでルーバー本体５１に取り付けられる。
壁側カバー７１は、略長方形筒状の壁側カバー基部７２を有している。この壁側カバー基部７２は、筒状の開口部７３が左右両側に位置し、一方の短辺に対応する外壁側面部７４が屋内側に位置し、他方の短辺に対応する屋外側面部７５が屋外側に位置する状態で設けられている。屋外側面部７５の上端縁には、屋外側に延びた後に下方に延びる第１壁側カバー固定部７６が設けられ、下部には屋外側に延びる第２壁側カバー固定部７７が設けられている。そして、壁側カバー７１は、第１壁側カバー固定部７６が上延出部５７の上部に係合し、第２壁側カバー固定部７７が下側から螺合するビス７８で第２本体固定部５９に固定されることでルーバー本体５１に取り付けられる。
【００２３】
化粧材４７は、厚さ方向（見込み方向）に撓む構成を有し、その厚さ方向が外壁面１０Ａの見込み方向と略一致する状態で取付手段４８により水平ルーバー材４１に取り付けられている。この化粧材４７は、水平ルーバー材４１に取り付けられる化粧本体８１と、この化粧本体８１に取り付けられる化粧カバー８５とを備えている。
化粧本体８１は、略長方形板状の化粧基部８２を有している。この化粧基部８２の短手方向の一端側（下端側）には、ボルト９１が挿通される７個のボルト孔８３が左右方向に並んで設けられている。また、化粧基部８２の下端縁には、屋外側に延びる本体固定部８４が設けられている。
化粧カバー８５は、断面略コ字状に形成されている。そして、化粧カバー８５は、略コ字状の対向する一対の辺に対応する部分が化粧基部８２の上部および本体固定部８４にそれぞれ係合することで化粧本体８１に取り付けられる。
取付手段４８は、ボルト９１、ナット９２と、内部にボルト９１を挿通可能な円筒状の１個の第１スペーサ９３と、第１スペーサ９３より短い円筒状の２個の第２スペーサ９４と、第２スペーサ９４より短い円筒状の２個の第３スペーサ９５と、第３スペーサ９５より短い円筒状の２個の第４スペーサ９６と、を備えている。第１〜第４スペーサ９３〜９６は、水平ルーバー材４１と化粧材４７との間に設けられる。
【００２４】
次に、外装ルーバー４０の取付状態に関して説明する。図７は、カーテンウォール１０と外装ルーバー４０との取付状態を模式的に示す平面図である。なお、図７では、本発明の内容を理解しやすくするために各構成の形状や配置状態を誇張して示している。
隣り合う２個のカーテンウォールユニット１１から構成されるカーテンウォール１０の外壁面１０Ａは、図７に示すように、カーテンウォールユニット１１の内面が角度θ（θは、例えば１６０°以上、１８０°未満）をなす平面多角形状に形成されている。
そして、デッキ部３０のグレーチング材３１は、カーテンウォールユニット１１の左右両端側から屋外側に延びる水平部支持部材としての主ブラケット４２により、カーテンウォールユニット１１ごとに支持されている。また、互いに隣り合うグレーチング材３１は、外壁面１０Ａの平面多角形状の角部を跨いで平面直線状に左右に延びて配置されている。ここで、グレーチング材３１の上面は、本発明の水平面を構成している。
【００２５】
また、水平ルーバー材４１は、外壁面１０Ａの平面多角形状の角部を跨ぎかつグレーチング材３１と略平行に左右に延びて配置されている。化粧材４７は、厚さ方向に撓ませて平面曲線状となる状態で水平ルーバー材４１に取り付けられている。
具体的には、水平ルーバー材４１は、カーテンウォールユニット１１における平面多角形状の角部を跨ぐ左右両端側の主ブラケット４２および縦支持材４３で支持されている。ここで、主ブラケット４２および縦支持材４３は、本発明のルーバー材支持部材を構成している。
また、水平ルーバー材４１と化粧材４７とは、第１スペーサ９３が右から４番目（左右方向中央）のボルト孔５６，８３を連通し、第２スペーサ９４が右から３番目および５番目のボルト孔５６，８３を連通し、第３スペーサ９５が右から２番目および６番目のボルト孔５６，８３を連通し、第４スペーサ９６が右から１番目および７番目（左右両端部）のボルト孔５６，８３を連通する状態でそれぞれ配置され、その内部およびボルト孔５６，８３に挿通されたボルト９１がナット９２に螺合されることで固定される。ここで、第１〜第４スペーサ９３〜９６は上述したように長さが異なるため、化粧材４７は、左右方向の中央が水平ルーバー材４１から最も離れ、左右両端に近づくにしたがって徐々に水平ルーバー材４１に近づくように撓んだ状態、つまり平面曲線状に撓んだ状態で取り付けられる。また、このときの化粧材４７の撓み状態は、例えば外壁面１０Ａの平面多角形状の外接円と同心円状となるように設定されている。
【００２６】
次に、外装ルーバー４０の組立方法について説明する。なお、以下の方法は一例に過ぎず、他の方法を適用してもよい。
まず、ナット９２を配置したルーバー本体５１を準備する。また、ボルト９１を化粧本体８１のボルト孔８３と第１〜第４スペーサ９３〜９６とに挿通する。次に、ボルト９１とナット９２とを螺合することで、平面直線状のルーバー本体５１に対して化粧本体８１を平面曲線状に撓ませた状態で取り付ける。この後、化粧本体８１に化粧カバー８５を取り付け、ルーバー本体５１に下カバー６１と壁側カバー７１とを取り付けて、外装ルーバー４０の組立が完了する。
【００２７】
このような実施形態によれば、以下のような効果がある。
（１）カーテンウォールユニット１１から構成される平面多角形状の外壁面１０Ａに、その角部を跨ぎ左右に延びる状態で平面直線状の水平ルーバー材４１を配置している。このため、外壁面１０Ａの平面多角形状の角部を跨ぐ長い領域を平面直線状の１個の水平ルーバー材４１でカバーでき、カーテンウォール１０の意匠性を向上できる。さらに、角部を跨ぐ領域をカバーする水平ルーバー材４１の取付作業を減らすことができる。そして、水平ルーバー材４１を曲げ加工したり曲がった水平ルーバー材４１を製造する必要がなく、コストアップを招くことがない。
【００２８】
（２）平面曲線状の化粧材４７を外壁面１０Ａの角部を跨ぐように水平ルーバー材４１の屋外側に配置しているため、化粧材４７を外壁面１０Ａに沿わせるとともに、この化粧材４７で直線状の水平ルーバー材４１を隠すことができ、カーテンウォール１０の意匠性を向上できる。
【００２９】
（３）化粧材４７を厚さ方向に撓み可能にかつ平面直線状に形成して、平面曲線状に撓ませて配置しているため、予め平面曲線状に形成する構成と比べて製造コストを抑えることができる。さらに、化粧材４７を所望の状態に撓ませることで、外装ルーバー４０の配置場所や建物１のサイズなどに応じて意匠性を向上した状態で化粧材４７を取り付けることができる。
【００３０】
（４）化粧材４７を長さが異なる第１〜第４スペーサ９３〜９６を介して水平ルーバー材４１に取り付けているため、化粧材４７の撓み状態を容易に設定でき、作業者によらず化粧材４７の撓み状態を一定にすることができる。
【００３１】
（５）外壁面１０Ａと外装ルーバー４０との間に、外装ルーバー４０と略平行にかつ外壁面１０Ａの角部を跨いで配置されたデッキ部３０を設けている。このため、デッキ部３０を歩行用デッキとして利用することができ、外壁面１０Ａや外装ルーバー４０に対するメンテナンスを容易に実施できる。また、デッキ部３０を外装ルーバー４０と略平行に設けているため、デッキ部３０を曲げ加工する必要がなく製造コストを抑えることができる。
【００３２】
（６）水平ルーバー材４１を平面多角形状の角部を跨いだ左右両端側の主ブラケット４２および縦支持材４３で支持させているので、水平ルーバー材４１の取付箇所を最小限の数にすることができ、取付作業を減らすことができる。また、デッキ部３０のグレーチング材３１をカーテンウォールユニット１１ごとに支持させているので、グレーチング材３１を外壁面１０Ａの角部を跨いで設ける構成と比べて、グレーチング材３１を短くすることができ、グレーチング材３１の取付作業を容易に実施できる。
【００３３】
なお、本発明は、前記一実施形態に限定されるものではなく、本発明の目的を達成できる他の構成等を含み、以下に示すような変形等も本発明に含まれる。
例えば、化粧材４７を設けない構成としてもよい。また、予め曲げた状態で製造した化粧材４７を水平ルーバー材４１に取り付けてもよい。そして、第１〜第４スペーサ９３〜９６の代わりにナットを螺合させ、このナットを水平ルーバー材４１の屋外側面部５４または化粧材４７の化粧基部８２に近づけることで化粧材４７の見込み方向の位置決めをして撓ませてもよい。さらに、ボルト９１を挿通可能な円筒状の第１〜第４スペーサ９３〜９６の代わりに、ボルト９１を挿通できない柱状のスペーサを適用し、このスペーサをボルト９１の側方に固定することで化粧材４７を撓ませてもよい。また、デッキ部３０を設けなくてもよし、１本のグレーチング材３１を外壁面１０Ａの角部を跨いで設けてもよい。
【００３４】
その他、本発明を実施するための最良の構成、方法等は、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質等を限定した記載は、本発明の理解を容易にするために例示的に記載したものであり、本発明を限定するものではないから、それらの形状、材質等の限定の一部もしくは全部の限定を外した部材の名称での記載は、本発明に含まれるものである。
【図面の簡単な説明】
【００３５】
【図１】本発明の実施形態に係るカーテンウォールを備える建物の一部を示す縦断面図である。
【図２】カーテンウォールを示す横断面図である。
【図３】カーテンウォールの上部を拡大して示す縦断面図である。
【図４】カーテンウォールの一部を拡大して示す横断面図である。
【図５】デッキ部および外装ルーバーを示す斜視図である。
【図６】外装ルーバーを構成する水平ルーバー材および化粧材の縦断面図である。
【図７】カーテンウォールと外装ルーバーとの取付状態を模式的に示す平面図である。
【符号の説明】
【００３６】
１…建物、１０…カーテンウォール、１１…カーテンウォールユニット（窓部）、３０…デッキ部（水平部）、４０…外装ルーバー（ルーバー装置）、４１…水平ルーバー材、４２…主ブラケット（水平部支持部材、ルーバー材支持部材）、４３…縦支持材（ルーバー材支持部材）、４７…化粧材、４８…取付手段、９３〜９６…スペーサ。
【図１】
2009221789.tif 000003
【図２】
2009221789.tif 000004
【図３】
2009221789.tif 000005
【図４】
2009221789.tif 000006
【図５】
2009221789.tif 000007
【図６】
2009221789.tif 000008
【図７】
2009221789.tif 000009